(57)【要約】【課題】  構造および被収容物の収容が簡単でありながら、被収容物を安定的、かつ確実に保持収容することができ、しかも被収容物の寸法の違いに対する許容性が高く、さらに容器本体の開閉を邪魔しない包装容器を提供する。【解決手段】  少なくとも上部に開口部を有する筒状に形成した容器本体１内に、その開口部から奥行方向への両側に位置する内壁間に板状部材６を掛け渡し、この板状部材はそのほぼ中央に容器本体の開口部から奥行き方向に向かう折り目７を有し、この折り目部分が容器本体１の内壁に弾発的に突出してこれに近接乃至接触して橋架保持されており、容器本体の外側から当該板状部材の折り目部分へ外力を付加することにより、板状部材の折り目部分が反転して保持され、板状部材と内壁との間に所望の物品１０を収容するスペース１１が形成されるように構成した。【選択図】  図１
0003126754.tif 000002
【実用新案登録請求の範囲】
【請求項１】
少なくとも上部に開口部を有する筒状に形成した容器本体内に、その開口部から奥行方向への両側に位置する内壁間に板状部材を掛け渡し、この板状部材はそのほぼ中央に容器本体の開口部から奥行き方向に向かう折り目を有し、この折り目部分が容器本体の内壁に弾発的に突出してこれに近接乃至接触して橋架保持されており、容器本体の外側から当該板状部材の折り目部分へ外力を付加することにより、板状部材の折り目部分が反転して保持され、板状部材と内壁との間に所望の物品を収容するスペースが形成されるように構成してなる包装容器。
【請求項２】
前記容器本体の筒状胴部を構成する部材と、前記板状部材を同一部材にて一体に形成してなる請求項１に記載の包装容器。
【請求項３】
前記容器本体を、前後の胴部と左右の胴部を有する断面が矩形を呈する角筒状に構成し、左右の胴部間に前記板状部材を掛け渡すとともに、前記折り目を前後のいずれか一方の胴部側に近接乃至接触せしめ、当該胴部を容器本体の外側から押すと、板状部材の折り目が他方の胴部側に反転保持されるように構成してなる請求項１に記載の包装容器。
【請求項４】
前記容器本体および板状部材を紙製のもので構成してなる請求項１乃至３に記載の包装容器。
【考案の詳細な説明】
【技術分野】
【０００１】
本考案は、包装容器に関し、特に自動販売機での小物の販売に好適な包装容器に関する。
【背景技術】
【０００２】
自動販売機は販売対象となる物品の一般的形状に合わせて内部でのストックや送り出しの機構を備えている。したがって、例えばたばこの自動販売機でライターを販売しようとする場合には、ライターを一般的なたばこの寸法、形状の容器にて包装し、たばこと同様の体裁で販売できるようにしている（例えば、特許文献１参照）。
【０００３】
そして、上述のようにたばこの自動販売機でライターを販売する際のライターの包装容器としては、特許文献１のものでは外観があまり良好とは言えず、しかも被収容物であるライターを安定して支持することができないため、図５に示すような構成のものが現状では普及している。
【０００４】
この図５に示す包装容器は、容器本体２１内に、この容器本体とは別部材で構成した支持体２２を備え、この支持体の溝部２３内にライターを挟み込んでから容器本体２１に収容するように構成されている。
【０００５】
しかしながら、図５に示した従来の包装容器では、支持体２２を容器本体２１に入れるのに手間が掛かり、また被収容物であるライターの前後方向の安定性に欠け、しかもライターの横幅寸法の変更に対応できないという欠点があり、しかも上下方向の安定性を確保するために支持体２２の縦方向の長さを容器本体２１内部の高さとほぼ同じにすると、容器本体２１の蓋２４の開閉時に蓋の遊端に形成されている折込舌片２４ａの挿入が困難であるという問題もある。
【０００６】
【特許文献１】実開平５−７１９８６号公報（第１〜４頁、図１、２）
【考案の開示】
【考案が解決しようとする課題】
【０００７】
本考案は、構造および被収容物の収容が簡単でありながら、被収容物を安定的、かつ確実に保持収容することができ、しかも被収容物の寸法の違いに対する許容性が高く、さらに容器本体の開閉を邪魔しない包装容器を提供することを目的としている。
【課題を解決するための手段】
【０００８】
上記目的を達成するために、請求項１に係る本考案の包装容器は、少なくとも上部に開口部を有する筒状に形成した容器本体内に、その開口部から奥行方向への両側に位置する内壁間に板状部材を掛け渡し、この板状部材はそのほぼ中央に容器本体の開口部から奥行き方向に向かう折り目を有し、この折り目部分が容器本体の内壁に弾発的に突出してこれに近接乃至接触して橋架保持されており、容器本体の外側から当該板状部材の折り目部分へ外力を付加することにより、板状部材の折り目部分が反転して保持され、板状部材と内壁との間に所望の物品を収容するスペースが形成されるように構成したものとしてある。
【０００９】
また、請求項２に係る本考案の包装容器は、前記容器本体の筒状胴部を構成する部材と、前記板状部材を同一部材にて一体に形成したものとしてある。
【００１０】
さらに請求項３に係る本考案の包装容器は、前記容器本体を、前後の胴部と左右の胴部を有する断面が矩形を呈する角筒状に構成し、左右の胴部間に前記板状部材を掛け渡すとともに、前記折り目を前後のいずれか一方の胴部側に近接乃至接触せしめ、当該胴部を容器本体の外側から押すと、板状部材の折り目が他方の胴部側に反転保持されるように構成したものとしてある。
【００１１】
また、請求項４に係る本考案の包装容器は、前記容器本体および板状部材を紙製のもので構成したものとしてある。
【考案の効果】
【００１２】
容器本体の外側から板状部材の折り目部分を押すと、板状部材が反転して板状部材と容器本体との間に被収容物の収容スペースが直ちに形成される。
【００１３】
したがって、図５に示した従来のもののように容器本体とは別部材の支持体を容器本体内に入れるというような手間が掛からず、被収容物を入れるのが簡単で、しかも板状部材の反転にて形成されたスペースは板状部材の撓みによって被収容物の寸法の違いをある程度許容できて安定した収容を実現できる。
【００１４】
また、被収容物を安定して確実に保持できるという機能的なメリットに加え、板状部材が容器本体内で反転するというギミックのおもしろさがあり、容器そのものはもちろんのこと被収容物の市場価値の向上をも期すことができる。
【考案を実施するための最良の形態】
【００１５】
以下、本考案に係る包装容器の実施例を添付図面に示す具体例に基づいて詳細に説明する。
容器本体１は、例えば厚紙製のものとしてあって、胴部２の上下開口部が蓋３によってそれぞれ自在に開閉できるいわゆるキャラメル箱状の直方体に形成されている。
【００１６】
左右の胴部４、５間には、板状部材６が掛け渡されていて、この板状部材はそのほぼ中央に容器本体の開口部から奥行き方向に向かう折り目７を有し、この折り目７部分が前後の胴部８、９のうちの後胴部９の内壁に弾発的に突出してこれに近接乃至接触して橋架保持されている。
【００１７】
そして、図３（ａ）に示されるように、後胴部９の外側から板状部材の折り目７部分へ同図３（ａ）中の矢印で示すように外力を付加すると、板状部材の折り目部分が前胴部８側に反転して保持され、図３（ｂ）に示すように、板状部材と後胴部８側の内壁との間にライター等の所望の物品１０を収容するスペース１１が形成されるように構成してある。
【００１８】
本実施例のものでは、図４の展開図に示されるように、容器本体１と板状部材６を同一部材で一体に形成してあって、板状部材６を容器本体１内に折り込んで簡単に製作することができるものとしてある。
なお、同図４中において、符号１２、１３はそれぞれ前記左右の胴部４、５内面への糊代部を示し、また破線は容器を組み立てる際の折り目を示している。
【００１９】
上述した実施例では、直方体状の容器本体について説明したが、円筒状の容器本体や他の多角筒状の容器本体においても本考案の構成を適用することができる。
すなわち、例えば円筒状の容器本体を備えるものであれば清涼飲料水の自動販売機でおかしを販売するような場合にも好適に採用することができる。
【図面の簡単な説明】
【００２０】
【図１】本考案に係る包装容器の実施例を示す斜視図。
【図２】本考案に係る包装容器の使用状態を示す横断面図。
【図３】本考案に係る包装容器の作用を示す横断面図。
【図４】本考案に係る包装容器の展開図。
【図５】従来の包装容器の一例を示す斜視図。
【符号の説明】
【００２１】
１  容器本体
２  胴部
３  蓋
４  左胴部
５  右胴部
６  板状部材
７  折り目
８  前胴部
９  後胴部
１０  被収容物
１１  収容スペース
１２  糊代部
１３  糊代部
【図１】
0003126754.tif 000003
【図２】
0003126754.tif 000004
【図３】
0003126754.tif 000005
【図４】
0003126754.tif 000006
【図５】
0003126754.tif 000007
【手続補正書】
【提出日】平成18年9月8日(2006.9.8)
【手続補正１】
【補正対象書類名】実用新案登録請求の範囲
【補正対象項目名】請求項４
【補正方法】変更
【補正の内容】
【請求項４】
前記容器本体および板状部材を紙製のもので構成してなる請求項１乃至３のいずれか１項に記載の包装容器。